(57)【要約】【課題】  商品陳列スペースの拡大を図ることができると共に、商品陳列室内の商品を容易に取り出すことを可能とする低温ショーケースを提供する。【解決手段】  本発明の低温ショーケース１は、商品を載置可能なトップテーブル２と底壁３と左右側壁４、４とを備えて前後に開口する商品陳列室６を内部に構成して成る断熱壁５と、商品陳列室６の前面開口に立設された透明壁７と、商品陳列室６の後面開口を開閉自在に閉塞する透明な扉装置３０とを備え、透明壁７の上端とトップテーブル２の前端の間に、手指を挿入可能な商品取り出し用の間隔（商品取出口）８を構成した。【選択図】図４
2006296928.tif 000002
【特許請求の範囲】
【請求項１】
商品を載置可能なトップテーブルと底壁と左右側壁とを備えて前後に開口する商品陳列室を内部に構成して成る断熱壁と、前記商品陳列室の前面開口に立設された透明壁と、前記商品陳列室の後面開口を開閉自在に閉塞する透明な扉装置とを備え、
前記透明壁の上端と前記トップテーブルの前端の間に、手指を挿入可能な商品取り出し用の間隔を構成したことを特徴とする低温ショーケース。
【請求項２】
前記商品陳列室内に架設された商品陳列棚を備え、前記透明壁の上端は、前記商品陳列棚よりも上方に位置していることを特徴とする請求項１に記載の低温ショーケース。
【請求項３】
前記商品陳列室内に架設された商品陳列棚を備え、前記トップテーブルの前端は前記商品陳列棚の前端よりも後退していることを特徴とする請求項１又は請求項２に記載の低温ショーケース。
【請求項４】
前記扉装置は、内扉と外扉とから構成されており、これら内外扉間を冷気ダクトとし、前記底壁上に配置した冷却器からの冷気を前記商品陳列棚上方の前記商品陳列室内に供給することを特徴とする請求項１、請求項２又は請求項３に記載の低温ショーケース。
【請求項５】
前記内扉及び外扉は、前記商品陳列棚の上側に位置する上内扉及び上外扉と、前記商品陳列棚の下側に位置する下内扉及び下外扉とから成り、前記商品陳列棚の後方に対応して設けられ、前記冷気ダクト内を上昇する冷気を、前記商品陳列棚上方に通過させるか、当該商品陳列棚下方に指向させるかを切り換えるためのダンパーと、前記商品陳列棚に設けられたヒータとを備えたことを特徴とする請求項４に記載の低温ショーケース。
【発明の詳細な説明】
【技術分野】
【０００１】
本発明は、断熱壁内に陳列室を構成し、この陳列室内を所定温度に冷却して成る低温ショーケースに関するものである。
【背景技術】
【０００２】
従来よりコンビニエンスストアなどに設置される低温ショーケースは、特許文献１に示すように断熱壁内に構成された商品陳列室内に所定温度に冷却された商品を陳列し、陳列室前面に扉を設け、陳列室前面から顧客等が商品を取り出せる構成とすると共に、陳列室後面にも扉を設け、陳列室後面から商品の補充等が行える構成とされていた。
【０００３】
陳列室前面に設けられる扉は、商品陳列室前方から内部に陳列された商品を視認することを可能とするため、透明板により構成されており、顧客は、扉を開放することで、商品を取り出すことが可能となる。
【特許文献１】実公平６−１８１８２号公報
【発明の開示】
【発明が解決しようとする課題】
【０００４】
従来より用いられるこの種の低温ショーケースは、高さが例えば人の目線よりも高い位置にあり、これよりも低い高さに構成された低温ショーケースにあっては、予め店舗に設置されたテーブル上に載置して使用されている。そのため、当該低温ショーケースにより構成される商品陳列室の高さは、少なくとも人が起立した状態においてやや低い目線となる位置とされている。
【０００５】
しかしながら、特に駅の売店など、商品の陳列場所がきわめて限られている場合には、このような高さの大きなショーケースは、他の商品陳列に大きな影響を与えると共に、テーブル上に設置する場合には、限られたテーブル上に複数種類の商品を陳列しなければならないため、効果的な商品陳列を実現することができないという問題があった。
【０００６】
そこで、高さの比較的低いショーケースを床面に直接設置することも考えられるが、係る場合には、陳列室内の商品を取り出す際に、屈んだ状態となって足下付近に形成される前面扉の開閉操作を行わなければ成らず、使用性が悪いという問題があった。特に、屈むことが困難な顧客にとっては、商品を取り出すことができないという不都合が生じる。
【０００７】
また、駅の売店など、設置場所が屋外となってしまうために外乱の影響を受けやすい設置条件の場合には、商品陳列室内の温度が外乱の影響を受けて設定温度とは相違してしまうという問題もあった。
【０００８】
そこで、本発明は従来の技術的課題を解決するために成されたものであり、商品陳列スペースの拡大を図ることができると共に、商品陳列室内の商品を容易に取り出すことを可能とする低温ショーケースを提供する。
【課題を解決するための手段】
【０００９】
本発明の低温ショーケースは、商品を載置可能なトップテーブルと底壁と左右側壁とを備えて前後に開口する商品陳列室を内部に構成して成る断熱壁と、商品陳列室の前面開口に立設された透明壁と、商品陳列室の後面開口を開閉自在に閉塞する透明な扉装置とを備え、透明壁の上端とトップテーブルの前端の間に、手指を挿入可能な商品取り出し用の間隔を構成したことを特徴とする。
【００１０】
請求項２の発明の低温ショーケースは、上記発明において、商品陳列室内に架設された商品陳列棚を備え、透明壁の上端は、商品陳列棚よりも上方に位置しているを特徴とする。
【００１１】
請求項３の発明の低温ショーケースは、上記各発明において、商品陳列室内に架設された商品陳列棚を備え、トップテーブルの前端は商品陳列棚の前端よりも後退していることを特徴とする。
【００１２】
請求項４の発明の低温ショーケースは、上記各発明において、扉装置は、内扉と外扉とから構成されており、これら内外扉間を冷気ダクトとし、底壁上に配置した冷却器からの冷気を商品陳列棚上方の商品陳列室内に供給することを特徴とする。
【００１３】
請求項５の発明の低温ショーケースは、上記発明において、内扉及び外扉は、商品陳列棚の上側に位置する上内扉及び上外扉と、商品陳列棚の下側に位置する下内扉及び下外扉とから成り、商品陳列棚の後方に対応して設けられ、冷気ダクト内を上昇する冷気を、商品陳列棚上方に通過させるか、当該商品陳列棚下方に指向させるかを切り換えるためのダンパーと、商品陳列棚に設けられたヒータとを備えたことを特徴とする。
【発明の効果】
【００１４】
本発明によれば、商品を載置可能なトップテーブルと底壁と左右側壁とを備えて前後に開口する商品陳列室を内部に構成して成る断熱壁と、商品陳列室の前面開口に立設された透明壁と、商品陳列室の後面開口を開閉自在に閉塞する透明な扉装置とを備えたことにより、商品陳列室内に商品を陳列し、所定温度に冷却しながら、トップテーブル上にも商品を載置して陳列することができるようになる。
【００１５】
また、透明壁の上端とトップテーブルの前端の間に、手指を挿入可能な商品取り出し用の間隔を構成したことにより、商品陳列室内の商品は透明壁を介して視認できると共に、トップテーブルとの間の間隔から支障なく取り出すことが可能となる。そして、商品陳列室内への商品の補充は、商品陳列室の後面に形成された扉装置を開放することで支障なく行うことができる。
【００１６】
請求項２の発明によれば、商品陳列室内に架設された商品陳列棚を備え、透明壁の上端は、商品陳列棚よりも上方に位置しているため、商品陳列棚上に陳列された商品に与える外乱の影響を軽減することができる。
【００１７】
請求項３の発明によれば、商品陳列室内に架設された商品陳列棚を備え、トップテーブルの前端は商品陳列棚の前端よりも後退しているため、商品陳列棚前部の商品を透明壁とトップテーブル間の間隔から容易に取り出すことが可能となる。
【００１８】
請求項４の発明によれば、扉装置は、内扉と外扉とから構成されており、これら内外扉間を冷気ダクトとし、底壁上に配置した冷却器からの冷気を商品陳列棚上方の商品陳列室内に供給することにより、底壁上の冷却器からの冷気を商品陳列室内に円滑に循環して冷却することが可能となる。
【００１９】
また、請求項５の発明によれば、内扉及び外扉は、商品陳列棚の上側に位置する上内扉及び上外扉と、商品陳列棚の下側に位置する下内扉及び下外扉とから成り、商品陳列棚の後方に対応して設けられ、冷気ダクト内を上昇する冷気を、商品陳列棚上方に通過させるか、当該商品陳列棚下方に指向させるかを切り換えるためのダンパーと、商品陳列棚に設けられたヒータとを備えたことにより、当該ダンパーを切り換えることで、冷気を商品陳列棚下方に指向させた状態で、ヒータを発熱させることにより、商品陳列室内は棚下側の冷却領域と棚上側の加温領域とに上下に使い分けをすることができるようになる。
【００２０】
これにより、一台のショーケースにおいて、商品陳列室内すべてを冷却領域として使用する場合と、商品陳列室内に冷却領域と加温領域とを形成して使用する場合とに使い分けることができることから、利便性が向上される。
【発明を実施するための最良の形態】
【００２１】
以下、本発明の実施形態を図面に基づき詳述に説明する。図１は本発明を適用した低温ショーケース１の斜視図、図２は低温ショーケース１の正面図、図３は低温ショーケース１の背面図、図４は低温ショーケース１の縦断側面図、図５は低温ショーケース１の横断平面図、図６は低温ショーケース１の部分拡大断面図を示している。
【００２２】
本実施例における低温ショーケース１は、例えば、駅などの売店に設置されるショーケースである。低温ショーケース１は、いずれも断熱材料により構成されるトップテーブル（天壁）２と、底壁３と、左右側壁４、４とから構成される断熱壁５により本体が構成される。この断熱壁５は、前面及び後面に開口する。
【００２３】
トップテーブル２の下方には間隔を存して仕切板１０が配設され、この仕切板１０とトップテーブル２との間には冷気ダクト１１が形成される。底壁３の上方には間隔を存してデックパン１２が設けられており、このデックパン１２と底壁３との間には、冷却室１３が形成される。これら仕切板１０と、デックパン１２の内側には商品陳列室６が構成される。なお、これら冷却室１３と冷気ダクト１１とは、詳細は後述する扉装置３０に形成される冷気ダクト３１を介して連通して構成される。
【００２４】
冷気ダクト１１の上端は商品陳列室６の前面開口上縁に位置する冷気吐出口１４に連通し、冷気ダクト１１と共に一連のダクトを構成する冷却室１３の前端は商品陳列室６の前面開口下縁に位置すると共に、複数のスリットから成る冷気吸込口１５に連通している。また、冷却室１３内には冷却装置の冷凍サイクルを構成する冷却器１６及び冷気送給用の送風機１７が配設されている。なお、図４において１８及び１９は冷気吐出口１４から吐出される冷気を下方に指向するための風向板であり、冷気ダクト１１の前端、即ち、トップテーブル２の下面前端に位置する風向板１９は、前下方に向けて低く傾斜して形成される。当該下端は、後述する透明壁７上端高さ近傍にまで位置しているものとする。
【００２５】
底壁３の下側には機械室２０が構成されており、この機械室２０内には前記冷却器１６と共に冷却装置の冷凍サイクルを構成する圧縮機２１、凝縮器２２、凝縮器用送風機２３が設置されると共に、電源や制御基板を収容した図示しない電装箱も配設される。当該機械室２０の前方には前面化粧パネル２４が取り付けられており、当該前面化粧パネル２４には、機械室２０内に発生した排熱を排出するための複数のスリットから成る排気口２５が形成されている。
【００２６】
前記商品陳列室６内には商品陳列棚２６、２７が架設されている。下側に位置する商品陳列棚２７は、前記デックパン１２上面に架設されると共に、当該商品陳列棚２７と仕切板１０との間に位置して商品陳列棚２６が架設される。いずれの商品陳列棚２６、２７も前方に低く傾斜して架設される。また、この場合において、上側に位置する商品陳列棚２６の前端は、下側に位置する商品陳列棚２７の前端よりも所定寸法だけ、例えば図４に示す如く、陳列される商品として、例えばペットボトル一本分だけ後退して形成されると共に、当該商品陳列棚２６の上方に位置するトップテーブル２の前端よりも例えばペットボトル一本分だけ前方に位置して形成される。即ち、トップテーブル２の前端は商品陳列棚２６よりも後退して構成されることとなる。
【００２７】
また、いずれの商品陳列棚２６、２７も商品陳列面、即ち上面には、図５の平断面図に示す如く前方から後方に渡って複数の線条２８・・が形成されている。これは、当該商品陳列棚２６、２７に陳列される例えばペットボトルや缶に収容された飲料をその種類ごとに各線条２８間に収容することで、商品の移動を規制又は誘導することが可能となり、商品陳列効率を向上させるものである。
【００２８】
更にまた、いずれの商品陳列棚２６、２７も商品載置面の裏側には図示しない加熱用ヒータが配設されている。当該加熱用ヒータは、商品陳列棚２６及び２７に対し別々に通電制御可能とされているものとする。
【００２９】
商品陳列室６の前面開口には、内部を透視可能とする透明壁７が立設される。この透明壁７は、下端が底壁３の前端に固定されることにより取り付けられる。透明壁７は、当該透明壁７上端と前記トップテーブル２の前端との間には所定寸法の間隔を形成するため、トップテーブル２の高さよりも所定寸法だけ低く形成される。本実施例において、当該低温ショーケース１は、床面からトップテーブル２までの高さ寸法が約９０ｃｍ程度となるように構成されており、これに対し、透明壁７の上端は、床面から約８０ｃｍ程度となるように構成されているものとする。なお、この場合において低温ショーケース１は、予め床面から１０ｃｍ〜１５ｃｍの基台に設置されるものとする。そのため、少なくとも透明壁７の上端は、商品陳列室６内に架設される商品陳列棚２６よりも上方に位置することとなる。
【００３０】
この場合において、トップテーブル２の前端は、上述した如く商品陳列室６内に架設される商品陳列棚２６の前端よりも所定寸法だけ後退して形成されているため、風向板１９の前端と、透明壁７の上端との間には、手指を挿入可能とする商品取出口８が形成される。なお、トップテーブル２の前端下面に左右にわたって図示しない引き出し式のスクリーンを設け、営業時間外等に当該スクリーンを引き出して商品取出口８を被覆してもよいものとする。
【００３１】
なお、このトップテーブル２の前端は、図４に示す如く左右にわたってプライスレール９が取り付けられている。このプライスレール９の上端は、トップテーブル２の上面よりも少許高く形成されると共に、前方に向かって低く傾斜して形成されている。これにより、トップテーブル２の前部は、プライスレール９とトップテーブル２の上面との間に段差が形成されることとなる。そのため、当該トップテーブル２の上面に例えば雑誌等の商品を陳列した場合であっても、前方に滑落する不都合を抑制することが可能となる。
【００３２】
他方、本実施例において商品陳列室６の後面開口には、商品陳列室６内に架設される前記商品陳列棚２６の上側の領域と、下側の領域とを区画するための仕切部材３２が設けられる。そして商品陳列棚２６の上側の領域に対応する後面開口には、左右に摺動自在に構成される上外扉３５と、当該上外扉３５と所定間隔を存して同様に左右に摺動自在に構成される上内扉３６とから構成される上扉装置３０Ａが設けられる。他方、商品陳列棚２６の下側の領域に対応する後面開口には、左右に摺動自在に構成される下外扉３７と、当該下外扉３７と所定間隔を存して同様に左右に摺動自在に構成される下内扉３８とから構成される下扉装置３０Ｂが設けられる。なお、当該上下扉装置３０Ａ、３０Ｂを合わせて前記扉装置３０とする。なお、いずれの内外扉３５、３６、３７、３８も内部を透視可能とする材料にて構成されているものとする。
【００３３】
上外扉３５は、連結部材を介してトップテーブル２下面に設けられる上部レール３９と、仕切部材３２の上面に設けられる下部レール４０に支持案内された状態で摺動自在に設けられる。上内扉３６は、仕切板１０の後端下面に設けられる上部レール４１と、仕切部材３２の前面に設けられた下部レール４２に支持案内された状態で摺動自在に設けられる。これにより、上外扉３５と上内扉３６との間に冷気ダクト３１が形成される。
【００３４】
他方、下外扉３７は、仕切部材３２の下面に設けられる上部レール４３と、底壁３の後端上面に設けられる下部レール４４に支持案内された状態で摺動自在に設けられる。下内扉３８は、仕切部材３２の前面に設けられた上部レール４５と、仕切部材３２の前面に設けられた下部レール４６に支持案内された状態で摺動自在に設けられる。これにより、下外扉３７と下内扉３８との間に冷気ダクト３１が形成される。
【００３５】
そして、これら上外扉３５と上内扉３６は、図示しない連動部材により、一体として移動可能に形成されているものとする。また、下外扉３７と下内扉３８についても同様に一体に移動可能に形成されているものとする。これにより、上外扉３５又は下外扉３７を摺動操作するのみで、後面開口を開閉することができ、ショーケース１後面から商品の補充作業を行うことができる。なお、上述した如く各内外扉３５、３６、３７、３８は、内部を透視可能とするため、容易に商品陳列室６の陳列商品を確認することができ、補充作業を簡素化することができる。また、各内外扉３５、３６、３７、３８は、いずれも図示しないスプリング等又は所定角度傾斜して設けられることで自閉機能を有しているものとする。
【００３６】
この場合において、仕切部材３２に設けられる前記下部レール４２と上部レール４５は、図６の部分拡大図に示す如く、前方に開放した断面コ字状を呈した取付部材５０に一体に形成されている。また、当該取付部材５０の後部であって、前記両冷気ダクト３１、３１に相当する位置には、冷気を流通させるための図示しない開口が形成されているものとする。
【００３７】
これに対し、前記商品陳列棚２６の下面には、左右にわたってダンパー部材５１が設けられている。このダンパー部材５１は、前後に摺動自在に設けられており、後端には、図６に示す如き可撓性材料にて構成された仕切部材５２が形成されている。当該仕切部材５２は、ダンパー部材５１を後方に移動した状態で、上扉装置３０Ａ内の冷気ダクト３１と、下扉装置３０Ｂ内の冷気ダクト３１とを仕切るものである。また、この仕切部材５２は、下方の冷気ダクト３１から上昇した冷気を前下方に指向するための指向面５２Ａが形成されている。
【００３８】
以上の構成において、商品陳列室６内をすべて冷却領域として使用する場合には、前記ダンパー部材５１を前方に移動させ、前記冷却装置を運転する。これにより、冷却器１６の冷却作用により冷却された冷却室１３内の冷気は、送風機１７の運転により、下扉装置３０Ｂ内に形成される冷気ダクト３１内を上昇し、一部の冷気がダンパー部材５１の指向面５２Ａにより前方に吹き出されると共に、残りの冷気は、更に、上扉装置３０Ａ内に形成される冷気ダクト３１内を上昇し、仕切板１０によって形成される冷気ダクト１１を介して冷気吐出口１４より商品陳列室６下前方に吐出される。商品陳列室６内に吐出された冷気は、前面開口に設けられた透明壁７の後面に沿って降下し、商品陳列室６内を循環し、冷気吸込口１５を介して再び冷却室１３内に吸い込まれる。これにより、商品陳列室６内は、商品陳列棚２６の上側の領域と下側の領域のすべてにおいて冷却領域が形成される。
【００３９】
この場合において、透明壁７の上端は、上述した如く商品陳列棚２６よりも上方に位置しているため、当該低温ショーケース１が屋外に設置された場合であっても、商品陳列室６内、特に商品陳列棚２６上側に位置する商品陳列室内６の温度環境が外乱によって大きく影響を受け、設定温度と相違してしまう不都合を抑制することができる。これにより、商品陳列棚２６上に陳列される商品に与えられる外乱の影響を軽減することができる。
【００４０】
また、冷気ダクト１１の前端に位置する風向板１９の下端の高さと、透明壁７の上端の高さとの差を少なくすることによって、外乱の影響を抑制することができる。
【００４１】
他方、商品陳列棚２６の上側の領域を加温領域として使用し、商品陳列棚２６の下側を冷却領域として使用する場合には、前記ダンパー部材５１を後方に移動させ、上扉装置３０Ａ内の冷気ダクト３１と下扉装置３０Ｂ内の冷気ダクト３１とを仕切る。そして、前記冷却装置を運転すると共に、商品陳列棚２６に設けられた前記加熱用ヒータを発熱させる。
【００４２】
これにより、冷却器１６の冷却作用により冷却された冷却室１３内の冷気は、送風機１７の運転により、下扉装置３０Ｂ内に形成される冷気ダクト３１内を上昇し、ダンパー部材５１の指向面５２Ａにより前方に吐出される。商品陳列棚２６の下方の商品陳列室６内に吐出された冷気は、棚２６下方に位置する商品陳列室６内を循環し、冷気吸込口１５を介して再び冷却室１３内に吸い込まれる。これにより、商品陳列棚２６の下側には、冷却領域が形成される。他方、商品陳列棚２６のヒータは通電されていることから、当該棚２６上方の商品陳列室内は所定温度に加温された加温領域が形成される。
【００４３】
そのため、一台のショーケース１において、商品陳列室６内すべてを冷却領域として使用する場合と、商品陳列室６内に冷却領域と加温領域とを形成して使用する場合とに使い分けることができる。これにより、提供する商品の種類を拡大することができ、利便性が向上される。
【００４４】
なお、冷却装置の運転を停止し、各商品陳列棚２６、２７の加熱用ヒータを発熱させることで、商品陳列室６内をすべて加温領域として使用することも可能である。
【００４５】
以上詳述した如く本発明によれば、商品陳列室６内に商品を陳列し、所定温度に冷却することができ、また、断熱壁５の天壁をトップテーブル２としたため、当該トップテーブル２の上面に非冷却の商品として、例えば雑誌や菓子類などを載置して陳列することも可能となる。これにより、陳列スペースの拡大を図ることができ、商品陳列効果を向上させることができる。
【００４６】
また、商品陳列室６内に陳列された商品は、透明壁７を介して視認することができるため、顧客に商品購買意欲を増進させることができる。顧客は、上体を少許前方に倒すのみで、商品陳列室６内に陳列された商品を、トップテーブル２と透明壁７との間の間隔、即ち商品取出口８から支障なく取り出すことが可能となる。
【００４７】
特に、トップテーブル２の前端は、上側に位置する商品陳列棚２６の前端よりも所定寸法だけ後退して形成されているため、商品取出口８から容易に商品陳列棚２６前部の商品を取り出すことが可能となる。同様に、上側に位置する商品陳列棚２６の前端は下側に位置する商品陳列棚２７の前端よりも所定寸法だけ後退して形成されているため、商品取出口８から容易に商品陳列棚２７前部の商品を取り出すことが可能となる。
【００４８】
なお、上述した如く透明壁７が底壁３前端から上記高さにまで立設して構成されているため、商品陳列室６内の冷却効率又は加温効率を向上させることができると共に、外部からの影響を抑止することが可能となるため、商品を衛生的に保持することが可能となる。
【図面の簡単な説明】
【００４９】
【図１】本発明を適用した低温ショーケースの斜視図である。
【図２】図１の低温ショーケースの正面図である。
【図３】図１の低温ショーケースの背面図である。
【図４】図１の低温ショーケースの縦断側面図である。
【図５】図１の低温ショーケースの横断平面図である。
【図６】図１の低温ショーケースの部分拡大断面図である。
【符号の説明】
【００５０】
１    低温ショーケース
２    トップテーブル
３    底壁
４    側壁
５    断熱壁
６    商品陳列室
７    透明壁
８    商品取出口
９    プライスレール
１０  仕切板
１１  冷気ダクト
１２  デックパン
１３  冷却室
１４  冷気吐出口
１５  冷気吸込口
１６  冷却器
１７  送風機
１９  風向板
２６、２７  商品陳列棚
２８  線条
３０  扉装置
３０Ａ  上扉装置
３０Ｂ  下扉装置
３１  冷気ダクト
３５  上外扉
３６  上内扉
３７  下外扉
３８  下内扉
５１  ダンパー部材
【図１】
2006296928.tif 000003
【図２】
2006296928.tif 000004
【図３】
2006296928.tif 000005
【図４】
2006296928.tif 000006
【図５】
2006296928.tif 000007
【図６】
2006296928.tif 000008